(57)【特許請求の範囲】
【請求項１】
所定の休止条件が成立すると、エレベーターを休止運転に移行させることにより、かごを所定の休止階に停止させて戸開した後に戸閉し、エレベーターを休止させる休止運転選択手段と、
かご呼びの切放しを行うことにより、前記かご内の行先釦からかご呼びの登録を行えなくなるようにするかご呼び切放し手段と、
を備え、
前記休止運転選択手段は、前記かご呼び切放し手段によって前記休止階のかご呼びが切放されている場合は、前記休止条件が成立しても、エレベーターを休止運転に移行させないことを特徴とするエレベーターの制御装置。
【請求項２】
休止運転において前記かごが前記休止階で戸開後に戸閉したことにより、前記かごの帰着完了を検出する帰着完了検出手段と、
を更に備え、
前記休止運転選択手段は、前記休止条件が成立してから前記帰着完了検出手段によって帰着完了が検出されるまでに、前記かご呼び切放し手段によって前記休止階のかご呼びが切放された場合は、休止運転を解除することを特徴とする請求項１に記載のエレベーターの制御装置。
【請求項３】
前記休止運転選択手段は、前記帰着完了検出手段によって帰着完了が検出された後は、休止運転中に前記かご呼び切放し手段によって前記休止階のかご呼びが切放されても、休止運転を継続させることを特徴とする請求項２に記載のエレベーターの制御装置。
【請求項４】
乗場呼びの切放しを行うことにより、乗場の乗場釦から乗場呼びの登録を行えなくようにする乗場呼び切放し手段と、
を更に備え、
前記休止運転選択手段は、前記かご呼び切放し手段によって前記休止階のかご呼びが切放されていない場合は、休止運転中に前記乗場呼び切放し手段によって前記休止階の乗場呼びが切放されても、休止運転を継続させることを特徴とする請求項１から請求項３の何れかに記載のエレベーターの制御装置。
【発明の詳細な説明】
【技術分野】
【０００１】
この発明は、休止運転の機能と呼びの切放し機能との双方を備えたエレベーターの制御装置に関するものである。
【背景技術】
【０００２】
下記特許文献１には、特定階の行先呼びの切放しが行われた場合に、自動的に所定のパーキング運転を行うものが記載されている。具体的に、特許文献１に記載のものでは、５階床のビルにおいて４階及び５階を上記特定階に設定しており、４階及び５階の双方の行先呼びが切放されると、かごを５階（所定のパーキング階）まで走行させるパーキング運転を行っている。
また、下記特許文献２には、エレベーターをパーキング運転に切り替えるためのスイッチを、制御盤等、エレベーターから離れた場所に設置することが開示されている。
【先行技術文献】
【特許文献】
【０００３】
【特許文献１】日本特開２０００−７２３５号公報
【特許文献２】日本実開昭６０−７８３６６号公報
【発明の概要】
【発明が解決しようとする課題】
【０００４】
エレベーターには、所定の休止条件が成立すると、休止運転への切り替えを行うものがある。
なお、ここで言う休止運転は、特許文献１及び２に記載された上記パーキング運転とは、その制御内容が多少異なる。即ち、休止運転では、エレベーターのかごを所定の休止階まで走行させた後、かご内の乗客を降車させるため、エレベーターの戸を一旦開放する。そして、休止階において戸開動作後に戸閉が完了すると、エレベーターを所定の休止状態に移行させて、運転を休止させる。【０００５】
また、エレベーターには、ビルのセキュリティ性を向上させるため、特許文献１に記載されたもののように、呼び（サービス）の切放しを行うものがある。【０００６】
エレベーターに、上記休止運転の機能と呼びの切放し機能との双方が備えられている場合、例えば、ビルの管理人が、休止階におけるかご呼びの切放し状況を確認しないで、エレベーターを休止運転に切り替えてしまうと、かご呼びが切放されている休止階において戸開動作が行われてしまう恐れがあった。このような問題は、休止運転への切り替えを行うためのスイッチ等が、ビルの管理人室等、エレベーターから離れた場所に設置されている場合に、特に発生し易い。【０００７】
なお、休止階におけるかご呼びの切放し機能を休止運転の機能よりも優先させることにより、例えば、休止階のかご呼びの切放しが行われた際に休止運転を解除してしまえば、上記問題を解決することは可能である。しかし、かかる場合は、エレベーターが休止階で正常に（かご内に乗客がいない状態で）休止している時にも、休止階のかご呼びの切放しによって休止運転が解除されることになり、休止運転の正常な機能までもが損なわれてしまうといった問題があった。【０００８】
この発明は、上述のような課題を解決するためになされたもので、その目的は、所定の休止条件が成立するとエレベーターを休止運転に移行させる制御装置において、ビルのセキュリティ性を低下させることがなく、且つ、エレベーターの運転の切り替えを、呼びの切放し状況に応じて適切に行うことができるエレベーターの制御装置を提供することである。
【課題を解決するための手段】
【０００９】
この発明に係るエレベーターの制御装置は、所定の休止条件が成立すると、エレベーターを休止運転に移行させることにより、かごを所定の休止階に停止させて戸開した後に戸閉し、エレベーターを休止させる休止運転選択手段と、かご呼びの切放しを行うことにより、かご内の行先釦からかご呼びの登録を行えなくなるようにするかご呼び切放し手段と、を備え、休止運転選択手段は、かご呼び切放し手段によって休止階のかご呼びが切放されている場合は、休止条件が成立しても、エレベーターを休止運転に移行させないものである。
【発明の効果】
【００１０】
この発明によれば、所定の休止条件が成立するとエレベーターを休止運転に移行させるエレベーターの制御装置において、ビルのセキュリティ性を低下させることがなく、且つ、エレベーターの運転の切り替えを、呼びの切放し状況に応じて適切に行うことができるようになる。
【図面の簡単な説明】
【００１１】
【図１】この発明の実施の形態１におけるエレベーターの制御装置を示す構成図である。
【図２】この発明の実施の形態１におけるエレベーターの制御装置の動作を示すフローチャートである。
【図３】この発明の実施の形態１におけるエレベーターの制御装置の動作を示すフローチャートである。
【発明を実施するための形態】
【００１２】
この発明をより詳細に説明するため、添付の図面に従ってこれを説明する。なお、各図中、同一又は相当する部分には同一の符号を付しており、その重複説明は適宜に簡略化ないし省略する。
【００１３】
実施の形態１．
図１はこの発明の実施の形態１におけるエレベーターの制御装置を示す構成図である。図１において、１はエレベーター昇降路内を昇降するかご、２はかご１が停止する乗場、３は機械室や昇降路内等に設置されたエレベーターの制御盤である。
【００１４】
制御盤３は、かご１の走行制御や戸開閉制御等、エレベーター全体の運行を制御する機能を有している。エレベーターの平常運転時、制御盤３は、登録された乗場呼びやかご呼びにかご１を順次応答させるサービスを行う。また、制御盤３には、上記平常運転を制御する機能の他、所定の休止運転や、呼びの切放しを行う機能が備えられている。
【００１５】
上記休止運転は、かご１を所定の休止階に停止させ、エレベーターをその休止階で休止させる運転のことである。具体的に、休止運転では、かご１を所定の休止階まで走行させた後、かご１内の乗客を降車させるため、エレベーターの戸を一旦開放する。そして、かご１を休止階に停止させて戸開した後に戸閉が完了すると、エレベーターを所定の休止状態に移行させる。
また、上記呼びの切放しは、ビルのセキュリティ性向上のために行われるものである。呼びの切放しが行われると、その呼びを登録するための釦が操作された場合であっても、その乗客に対するかご１の応答は行われない。
【００１６】
このような機能を実現するため、制御盤３には、休止運転選択手段４、休止階決定手段５、かご位置検出手段６、かご呼び切放し階検出手段７、乗場呼び切放し階検出手段８が備えられている。
【００１７】
休止運転選択手段４は、各種入力情報に基づいて、エレベーターの運転として休止運転を選択する、即ち、エレベーターの運転を休止運転に切り替えるためのものである。この休止運転選択手段４は、所定の休止条件が成立することにより、エレベーターを休止運転に移行させる基本的な機能を備えている。
【００１８】
運転休止スイッチ９は、エレベーターを休止運転に切り替えるためのスイッチである。この運転休止スイッチ９は、エレベーターが備えられているビルの管理人室や、上記休止階の乗場２等に設置される。休止運転選択手段４は、例えば、運転休止スイッチ９がＯＦＦの状態からＯＮに切り替えられることにより、上記休止条件が成立したとして、エレベーターの運転を平常運転から休止運転に切り替える。
【００１９】
なお、休止運転選択手段４に備えられた帰着完了検出手段１０は、休止運転においてかご１が休止階に帰着したことを検出する機能を有している。例えば、帰着完了検出手段１０は、休止運転が開始されてかご１が休止階に停止し、休止階において戸開後に戸閉が完了することにより、かご１の帰着完了を検出する。
【００２０】
また、休止運転選択手段４は、呼びの切放し状況に応じて、休止運転の選択の要否や、休止運転の解除の要否を適切に判断する機能も備えている。休止運転選択手段４のこの機能の具体的な説明については、後述する。
【００２１】
休止階決定手段５は、上記休止階を記憶する機能を有している。
かご位置検出手段６は、昇降路内におけるかご１の現在位置を検出する機能を有している。かご位置検出手段６は、例えば、モーターエンコーダー（図示せず）等からのパルス信号に基づいてかご１の移動距離を算出し、かご１の現在位置を特定する。
【００２２】
かご呼び切放し階検出手段７は、かご呼びの切放しが行われている階床を検出する機能を有している。
なお、かご呼び切放し階検出手段７が接続されたかご呼び切放しスイッチ１１（かご呼び切放し手段）は、かご呼びサービスの切放しを行い、かご１内の行先釦からかご呼びの登録を行えなくなるようにするためのものである。このかご呼び切放しスイッチ１１は、かご１が停止する各階床（各行先釦）に対応して設けられている（図１に示すＮは階床を表す）。
【００２３】
かご１には、乗客が行先階（かご呼び）を登録するための行先釦が設けられており、エレベーターの平常運転時、乗客は、この行先釦を操作する（押す）ことにより、かご呼びの登録を行う。この時、かご呼び切放しスイッチ１１は、ＯＦＦに設定されている。
【００２４】
一方、かご呼び切放しスイッチ１１がＯＮに切り替えられると、制御盤３は、ＯＮに切り替えられたかご呼び切放しスイッチ１１に対応するかご呼びについて、呼び登録を禁止する。例えば、かご呼び切放しスイッチ１１−３がＯＮに切り替えられると、乗客がかご１内で３階の行先釦を押しても、そのかご呼びは登録されない。上記かご呼び切放し階検出手段７は、かご呼び切放しスイッチ１１から入力される各接点情報に基づいて、かご呼びの切放しが行われている階床を特定する。
【００２５】
乗場呼び切放し階検出手段８は、乗場呼びの切放しが行われている階床を検出する機能を有している。
なお、乗場呼び切放し階検出手段８が接続された乗場呼び切放しスイッチ１２（乗場呼び切放し手段）は、乗場呼びサービスの切放しを行い、乗場２に設置された乗場釦から乗場呼びの登録を行えなくなるようにするためのものである。この乗場呼び切放しスイッチ１２は、かご１が停止する各階床（各乗場２）に対応して設けられている（図１に示すＮは階床を表す）。
【００２６】
エレベーターの各乗場２には、上方向釦や下方向釦といった乗場釦が設けられており、エレベーターの平常運転時、乗客は、この乗場釦を操作する（押す）ことにより、上方向或いは下方向の乗場呼びの登録を行う。この時、乗場呼び切放しスイッチ１２は、ＯＦＦに設定されている。
【００２７】
一方、乗場呼び切放しスイッチ１２がＯＮに切り替えられると、制御盤３は、ＯＮに切り替えられた乗場呼び切放しスイッチ１２に対応する乗場呼びについて、呼び登録を禁止する。例えば、乗場呼び切放しスイッチ１２−３がＯＮに切り替えられると、乗客が３階の乗場２で乗場釦を押しても、その乗場呼びは登録されない。上記乗場呼び切放し階検出手段８は、乗場呼び切放しスイッチ１２から入力される各接点情報に基づいて、乗場呼びの切放しが行われている階床を特定する。
【００２８】
次に、図２及び図３も参照し、上記構成を有する制御装置の動作について具体的に説明する。図２は、この発明の実施の形態１におけるエレベーターの制御装置の動作を示すフローチャートであり、運転休止スイッチ９がＯＦＦからＯＮに切り替えられた時の休止運転選択手段４の具体的な処理フローを示している。
なお、以下においては、休止階決定手段５の機能により、休止階が予め１階に設定されている場合について説明する。
【００２９】
エレベーターの平常運転時、休止運転選択手段４は、運転休止スイッチ９がＯＮに切り替えられたか否かを判定する（Ｓ１０１）。運転休止スイッチ９がＯＦＦに設定されている場合、休止運転選択手段４は、休止運転の選択を行わない。即ち、制御盤３は、エレベーターの平常運転を制御する。
【００３０】
運転休止スイッチ９がＯＮに切り替えられると（Ｓ１０１のＹｅｓ）、休止運転選択手段４は、次に、１階（休止階）のかご呼びが切放されているか否かを判定する。ここで、かご呼び切放しスイッチ１１−１がＯＦＦに設定され、１階のかご呼びが切放されていなければ（Ｓ１０２のＮｏ）、休止運転選択手段４は、エレベーターの運転として休止運転を選択する（Ｓ１０３）。
【００３１】
なお、Ｓ１０２においてかご呼び切放しスイッチ１１−１がＯＦＦに設定されている場合、休止運転選択手段４は、乗場呼び切放しスイッチ１２−１がＯＮに設定されていても（即ち、休止階の乗場呼びが切放されていても）、エレベーターの運転として休止運転を選択する（Ｓ１０３）。
【００３２】
一方、Ｓ１０２においてかご呼び切放しスイッチ１１−１がＯＮに設定されており、かご呼び切放し階検出手段７によって１階のかご呼びの切放しが検出されると（Ｓ１０２のＹｅｓ）、休止運転選択手段４は、次に、かご１が休止階で帰着完了しているか否かを判定する（Ｓ１０４）。
【００３３】
ここで、かご位置検出手段６によってかご位置として１階が検出され、且つ、１階での戸開閉動作が完了していれば、帰着完了検出手段１０によってかご１の帰着完了が検出される（Ｓ１０４のＹｅｓ）。かかる場合、休止運転選択手段４は、乗客の降車は完了しておりかご１内に乗客はいないと判断して、エレベーターの運転として休止運転を選択する（Ｓ１０３）。
【００３４】
一方、Ｓ１０４において帰着完了検出手段１０がかご１の帰着完了を検出していない場合（Ｓ１０４のＮｏ）、休止運転選択手段４は、休止運転を解除する（Ｓ１０５）。即ち、休止運転選択手段４は、エレベーターの平常運転時に１階のかご呼びが切放された場合は、その後に運転休止スイッチ９がＯＮに切り替えられて休止条件が成立しても、エレベーターを休止運転には移行させない。これにより、かご呼びが切放されている休止階において戸開動作が行われることを防止する。
【００３５】
次に、図３を参照し、休止運転が開始された後の具体的な動作について説明する。
休止運転が開始されると（Ｓ２０１）、休止運転選択手段４は、１階（休止階）のかご呼びが切放されたか否かを判定する（Ｓ２０２）。ここで、かご呼び切放しスイッチ１１−１がＯＦＦに設定され、１階のかご呼びが切放されていなければ（Ｓ２０２のＮｏ）、休止運転選択手段４は、休止運転を継続させる。
【００３６】
なお、Ｓ２０２においてかご呼び切放しスイッチ１１−１がＯＦＦに設定されている場合、休止運転選択手段４は、乗場呼び切放しスイッチ１２−１がＯＮに設定されていても（即ち、休止階の乗場呼びが切放されていても）、エレベーターの運転として休止運転を選択し、休止運転を継続させる。
【００３７】
一方、休止運転開始後にかご呼び切放しスイッチ１１−１がＯＮに設定され、かご呼び切放し階検出手段７によって１階のかご呼びの切放しが検出されると（Ｓ２０２のＹｅｓ）、休止運転選択手段４は、次に、かご１が休止階で帰着完了しているか否かを判定する（Ｓ２０３）。
【００３８】
ここで、かご位置検出手段６によってかご位置として１階が検出され、且つ、１階での戸開閉動作が完了していれば、帰着完了検出手段１０によってかご１の帰着完了が検出される（Ｓ２０３のＹｅｓ）。かかる場合、休止運転選択手段４は、乗客の降車は完了しておりかご１内に乗客はいないと判断して、休止運転を継続させる。即ち、休止運転選択手段４は、帰着完了検出手段１０によってかご１の帰着完了が検出された後は、休止運転中に休止階のかご呼びが切放されても、休止運転をそのまま継続させる。
【００３９】
一方、Ｓ２０３において帰着完了検出手段１０がかご１の帰着完了を検出していない場合（Ｓ２０３のＮｏ）、休止運転選択手段４は、休止運転を解除する（Ｓ２０４）。即ち、休止運転選択手段４は、上記休止条件が成立してから帰着完了検出手段１０によってかご１の帰着完了が検出されるまでの間に、休止階のかご呼びの切放しが行われた場合は、休止運転を解除して、休止階で戸開動作が行われることを防止する。
【００４０】
この発明の実施の形態１によれば、休止運転の機能と呼びの切放し機能との双方を備えたエレベーターの制御装置において、休止運転の選択と解除とを、呼びの切放し状況に応じて適切に行うことができる。即ち、休止運転と休止階の呼びの切放しとが重複した場合であっても、ビルのセキュリティ性を低下させることなく、また、休止運転の正常な機能を損なうことなく、状況に応じた最適な運転を実施することが可能となる。
【産業上の利用可能性】
【００４１】
この発明に係るエレベーターの制御装置は、休止運転の機能と呼びの切放し機能との双方を備えたものに対して適用することができる。
【符号の説明】
【００４２】
１  かご
２  乗場
３  制御盤
４  休止運転選択手段
５  休止階決定手段
６  かご位置検出手段
７  かご呼び切放し階検出手段
８  乗場呼び切放し階検出手段
９  運転休止スイッチ
１０  帰着完了検出手段
１１  かご呼び切放しスイッチ
１２  乗場呼び切放しスイッチ
【図１】
0005447660.tif 000002
【図２】
0005447660.tif 000003
【図３】
0005447660.tif 000004